(57)【特許請求の範囲】
【請求項１】
時間を計測する時間計測部と、
ユーザの操作に基づき、前記時間計測部が計測している前記時間の出力指示を受け付ける出力指示受付部と、
通話相手が発話中か否かを検出する検出部と、
前記時間計測部が計測している前記時間を音声出力する音声出力部と、
前記出力指示受付部が前記出力指示を受け付けた後、前記検出部が前記通話相手が発話中でないことを検出したタイミングにおいて、前記音声出力部から前記時間を音声出力させるとともに、前記音声出力部から前記時間を音声出力中に、前記検出部が前記通話相手が発話中であることを検出すると、前記音声出力を中断するタイミング制御部と、
記憶部と、を含み、
前記タイミング制御部は、前記音声出力部により前記時間のうち一部が音声出力された場合に、前記記憶部に、当該一部の完了フラグを立てるとともに、前記音声出力部から前記時間を音声出力させる際に、前記記憶部を参照して、完了フラグが立っている前記一部を省略して音声出力させる携帯型通信端末。
【請求項２】
請求項１に記載の携帯型通信端末において、
前記音声出力部は、前記時間を、時間（ｈｏｕｒ）単位、および分（ｍｉｎｕｔｅ）単位でこの順に音声出力し、
前記タイミング制御部は、前記音声出力部が前記時間を時間単位で音声出力すると、前記記憶部に時間完了フラグをたて、前記音声出力部が前記時間を分単位で音声出力すると、前記記憶部に分完了フラグをたてる携帯型通信端末。
【請求項３】
請求項１または２に記載の携帯型通信端末において、
前記タイミング制御部は、前記記憶部に前記完了フラグを立てた後に所定時間が経過すると、前記時間完了フラグをクリアする携帯型通信端末。
【請求項４】
請求項１から３いずれかに記載の携帯型通信端末において、
前記タイミング制御部は、前記記憶部に前記完了フラグが立っている場合でも、時間の経過により、当該一部の前記時間が変化すると、前記時間完了フラグをクリアする携帯型通信端末。
【請求項５】
請求項１から４いずれかに記載の携帯型通信端末において、
通話相手の発話または前記音声出力部が出力する前記時間を出力するスピーカと、
前記通話相手の発話および前記音声出力部が出力する前記時間のいずれか一方を選択的に前記スピーカから出力するよう切り替えるセレクタと、
をさらに含み、
前記タイミング制御部は、前記出力指示受付部が前記出力指示を受け付けた後、前記検出部が前記通話相手が発話中でないことを検出したタイミングにおいて、前記セレクタを制御して、前記音声出力部が出力する前記時間を前記スピーカから選択的に出力するとともに、前記検出部が前記通話相手が発話中であることを検出すると、前記セレクタを制御して、前記通話相手の発話を前記スピーカから選択的に出力する携帯型通信端末。
【発明の詳細な説明】
【技術分野】
【０００１】
本発明は、携帯型通信端末に関し、とくに、時間通知機能を有する携帯型通信端末に関する。
【背景技術】
【０００２】
近年、携帯電話やＰＨＳ等の携帯型通信端末の普及には著しいものがある。携帯型通信端末のユーザは、通常、通話時間に応じた通話料金を電話会社に支払っている。携帯電話等の普及に伴い、通話料金も低下の傾向にはあるが、通話時間に応じた通話料金がかかる場合、ユーザは通話料金が気にかかる。そのためユーザは、通話中に通話時間を把握したいことがある。携帯型通信端末には、通常ＬＣＤ等の画面が設けられており、その画面に各種情報を提示することが可能である。しかし、通話中は、携帯型通信端末の受話部分（スピーカ）を耳につけ、マイク部分を口のあたりに位置させているため、ユーザは、画面を確認することができない。画面を確認するためには、携帯型通信端末を一度耳から離す必要がある。そのため、通話に支障をきたす恐れがあった。また、通話時間の観点から、画面を確認している間の通話時間が無駄、または通話時間の増加になるという問題があった。
【０００３】
特許文献１（特開２００２−１９９１３５号公報）には、通話中に経過時間を音声で知らせる構成の電話機が開示されている。ここでは、設定した時間が経過した場合に、アナウンスを行う構成が開示されている。
【０００４】
特許文献２（特開２０００−３４１４４２号公報）には、通話時間の告知を、通話相手等に聞こえないようにして通話者に通知する構成が開示されている。
【０００５】
特許文献３（特開２００４−２３５７０２号公報）には、電池残量を検出してユーザに通知する際、複数種類の通知形態を有し、携帯端末装置の現在の使用状態に応じて通知形態（画面表示および音声）を切り替える携帯端末装置が開示されている。
【特許文献１】特開２００２−１９９１３５号公報
【特許文献２】特開２０００−３４１４４２号公報
【特許文献３】特開２００４−２３５７０２号公報
【発明の開示】
【発明が解決しようとする課題】
【０００６】
しかし、特許文献１や特許文献２に記載の方法では、ユーザが知りたいタイミングで通話時間を知ることができなかった。また、通話時間を短い間隔で繰り返し通知するようにした場合、ユーザが通話相手の話している内容を聞き逃す回数が増加してしまうという問題も生じる。特許文献３に記載されたように電池残量の通知を行う場合と異なり、通話時間の通知を行う場合、ユーザが通話時間を気にしていることが通話相手に知られると、通話相手に不快感を与えるおそれがある。そのため、通話相手に知られないように通話に支障がないように効率よく通話時間の通知を行う必要がある。
【０００７】
本発明は上記事情に鑑みてなされたものであり、その目的とするところは、携帯型通信端末で通話を行う際に、ユーザに通話時間を効率よく通知する技術を提供することにある。
【課題を解決するための手段】
【０００８】
本発明によれば、
時間を計測する時間計測部と、
ユーザの操作に基づき、前記時間計測部が計測している前記時間の出力指示を受け付ける出力指示受付部と、
通話相手が発話中か否かを検出する検出部と、
前記時間計測部が計測している前記時間を音声出力する音声出力部と、
前記出力指示受付部が前記出力指示を受け付けた後、前記検出部が前記通話相手が発話中でないことを検出したタイミングにおいて、前記音声出力部から前記時間を音声出力させるとともに、前記音声出力部から前記時間を音声出力中に、前記検出部が前記通話相手が発話中であることを検出すると、前記音声出力を中断するタイミング制御部と、
を含む携帯型通信端末が提供される。
【０００９】
検出部は、携帯型通信端末のユーザが発話中か否かに応じて通話相手が発話中か否かを判断することもできる。たとえば、検出部は、ユーザが発話中の場合、通話相手が発話中でないと判断することができる。ここで、時間計測部が計測する時間は、通話時間または現在時刻とすることができる。これにより、ユーザが通話相手とどの程度の時間通話しているかを把握することができる。
【００１０】
本発明の構成によれば、ユーザの指示に基づき、時間を音声出力することができ、利便性を改善することができる。また、通話相手が発話中でない場合に、時間が音声出力されるので、ユーザが通話相手の発話内容の聞き逃すのを防ぐことができる。ユーザは、自分が話しているときに、通話時間等の時間のアナウンスの確認をすることができる。これにより、通話中のユーザに確実性を持たせて時間を認識させることができる。
【００１１】
本発明の携帯型通信端末において、前記時間計測部は、通話時間を計測することができ、前記音声出力部は、前記時間計測部が計測している前記通話時間を音声出力することができる。
【００１２】
本発明によれば、
通話時間を計測する通話時間計測部と、
ユーザの操作に基づき、前記通話時間計測部が計測している前記通話時間の出力指示を受け付ける出力指示受付部と、
通話相手が発話中か否かを検出する検出部と、
前記通話時間計測部が計測している前記通話時間を音声出力する音声出力部と、
前記出力指示受付部が前記出力指示を受け付けた後、前記検出部が前記通話相手が発話中でないことを検出したタイミングにおいて、前記音声出力部から前記通話時間を音声出力させるとともに、前記音声出力部から前記通話時間を音声出力中に、前記検出部が前記通話相手が発話中であることを検出すると、前記音声出力を中断するタイミング制御部と、
を含む携帯型通信端末が提供される。
【００１３】
このようにすれば、通話中のユーザに確実性を持たせて通話時間を認識させることができる。
【００１４】
本発明の携帯型通信端末は、記憶部をさらに含むことができ、前記タイミング制御部は、前記音声出力部により前記時間のうち一部が音声出力された場合に、前記記憶部に、当該一部の完了フラグを立てるとともに、前記音声出力部から前記時間を音声出力させる際に、前記記憶部を参照して、完了フラグが立っている前記一部を省略して音声出力させることができる。
【００１５】
このように、時間を分割して音声出力することにより、ユーザに効率よく時間を通知することができる。
【００１６】
本発明の携帯型通信端末において、前記音声出力部は、前記時間を、時間（ｈｏｕｒ）単位、および分（ｍｉｎｕｔｅ）単位でこの順に音声出力することができ、前記タイミング制御部は、前記音声出力部が前記時間を時間単位で音声出力すると、前記記憶部に時間完了フラグをたて、前記音声出力部が前記時間を分単位で音声出力すると、前記記憶部に分完了フラグをたてることができる。
【００１７】
このように、時間を分割して単位の大きい順に音声出力することにより、ユーザに効率よく時間を通知することができる。
【００１８】
本発明の携帯型通信端末において、前記タイミング制御部は、前記記憶部に前記完了フラグを立てた後に所定時間が経過すると、前記完了フラグをクリアすることができる。
【００１９】
これにより、時間を効率よく通知することができるとともに、ユーザに正確な時間を通知することもできる。
【００２０】
本発明の携帯型通信端末において、前記タイミング制御部は、前記記憶部に前記完了フラグが立っている場合でも、時間の経過により、当該一部の前記時間が変化すると、前記完了フラグをクリアすることができる。
【００２１】
たとえば、時間のうち、時間（ｈｏｕｒ）部分を音声出力した場合でも、時間の経過により、時間（ｈｏｕｒ）が変化した場合は、再度音声出力をすることができる。これにより、ユーザが正確な時間を把握することができる。
【００２２】
本発明の携帯型通信端末は、通話相手の発話または前記音声出力部が出力する前記時間を出力するスピーカと、前記通話相手の発話および前記音声出力部が出力する前記時間のいずれか一方を選択的に前記スピーカから出力するよう切り替えるセレクタと、をさらに含むことができ、前記タイミング制御部は、前記出力指示受付部が前記出力指示を受け付けた後、前記検出部が前記通話相手が発話中でないことを検出したタイミングにおいて、前記セレクタを制御して、前記音声出力部が出力する前記時間を前記スピーカから選択的に出力するとともに、前記検出部が前記通話相手が発話中であることを検出すると、前記セレクタを制御して、前記通話相手の発話を前記スピーカから選択的に出力することができる。
【００２３】
このようにすれば、ユーザには、通話相手の発話内容および時間の音声出力のいずれか一方が選択的に聞こえるので、通話相手の会話に支障をきたすことなく、時間を確実に把握することができる。
【００２４】
また、スピーカは、携帯型通信端末の受話部分に設けた構成とすることができる。また、ユーザが、イヤホンやヘッドセットを利用して、スピーカからの音声を聞く構成とすることもできる。このようにすれば、ユーザが割り当てられたキーを押すこと等により、スピーカから時間アナウンスが再生されるため、それを周囲に聞こえることなく認識することができる。
【００２５】
なお、以上の構成要素の任意の組合せ、本発明の表現を方法、装置、システム、記録媒体、コンピュータプログラムなどの間で変換したものもまた、本発明の態様として有効である。
【発明の効果】
【００２６】
本発明によれば、携帯型通信端末で通話を行う際に、ユーザに時間を効率よく通知することができる。
【発明を実施するための最良の形態】
【００２７】
以下、本発明の実施の形態について、図面を用いて説明する。尚、すべての図面において、同様な構成要素には同様の符号を付し、適宜説明を省略する。
【００２８】
図１は、本実施の形態における携帯電話端末の構成を示すブロック図である。
携帯型通信端末１００は、アンテナ１、無線部２、ＥＥＰＲＯＭ３、ＲＡＭ４、ＲＯＭ５、制御部６、表示駆動部７、表示部８、キー入力部９，音声処理部１０、セレクタ１１（音声出力部）、スピーカ１２（音声出力部）、およびマイク１３を含む。本実施の形態において、携帯型通信端末１００は、携帯電話端末とすることができる。
【００２９】
無線部２は、アンテナ１を介して無線信号を送受信する。ＥＥＰＲＯＭ３は、不揮発性メモリであり、携帯型通信端末１００の各種設定情報を記憶する。ＲＡＭ４は、一時的データを保持する。ＲＯＭ５は、携帯型通信端末１００のソフトプログラムを格納する。表示部８は、たとえばＬＣＤにより構成され、電話番号や各種設定情報を表示する。表示駆動部７は、表示部８を駆動する。スピーカ１２は、音声を出力する。マイク１３は、音声を入力する。音声処理部１０は、スピーカ１２およびマイク１３の音声を処理する。キー入力部９は、入力キーおよびサイドキー等の各種のキーを有し、ユーザからの指示を受け付ける。制御部６は、ＣＰＵにより構成され、携帯型通信端末１００の各部を制御するマイクロコンピュータを内蔵する。また、図示していないが、携帯型通信端末１００は、時間を計時する計時部を有する。
【００３０】
本実施の形態における携帯型通信端末１００において、無線部２により、アンテナ１を用いて発呼または着呼を行う。これにより、携帯型通信端末１００が通話状態となる。通話状態となると、ユーザは、スピーカ１２を通じて通話相手の話を聞くことができる。また、マイク１３を通じて通話相手に話をすることができる。制御部６は計時部が計時している時間に基づき、通話時間を計測する。
【００３１】
本実施の形態において、ユーザが既存のキー入力を行うことを通話時間の音声出力開始のトリガとすることができる。既存のキー入力は、キー入力部９のいずれかのキーに割り当てることができる。たとえば、サイドキーの長押しを通話時間の音声出力指示に割り当てることができる。
【００３２】
通話状態において、ユーザがキー入力部９の所定の割り当てられたキー（たとえば、サイドキーの長押し）を用いて通話時間の通知指示を行うと、制御部６は通話時間の通知の処理を開始する。制御部６は、ユーザから通話時間の通知指示があると、通話時間に基づき、通話時間音声データを作成する。制御部６は、スピーカ１２から通話時間音声データを出力するタイミングを制御する。本実施の形態において、制御部６は、通話相手が発話中でない場合に通話時間音声データを出力するよう制御する。
【００３３】
本実施の形態において、音声処理部１０は、音声周波数を監視する回路を有する。音声処理部１０は、音声周波数に基づき、通話相手が発話していることを検出することができる。音声処理部１０は、通話相手が発話していることを検出すると制御部６に通知する。これにより、制御部６は、通話相手が発話中か否かを把握することができる。
【００３４】
セレクタ１１は、通話相手の発話および制御部６が生成する通話時間音声データのいずれか一方を選択的にスピーカ１２から出力するよう切り替える。制御部６は、通話相手が発話していない場合に、セレクタ１１を制御して、スピーカ１２から通話時間音声データを出力させるように音声パスを切替える。これにより、制御部６で生成した通話時間音声データをスピーカ１２から出力することができる。
【００３５】
また、制御部６は、通話時間音声データを出力中に、通話相手が発話を開始したことを検出すると、セレクタ１１を制御して音声パスを切替える。これにより、通話相手の発話をスピーカ１２から出力することができる。
【００３６】
図２は、本実施の形態における制御部６により実現される構成を具体的に示したブロック図である。
制御部６は、出力指示受付部１０４、タイミング制御部１０６、音声データ生成部１０８（音声出力部）、検出部１１０、通話時間計測部１１２（時間計測部）、および記憶部１１４を含む。
【００３７】
図２に示した携帯型通信端末１００の各構成要素は、ハードウエア単位の構成ではなく、機能単位のブロックを示している。携帯型通信端末１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００３８】
通話時間計測部１１２は、通話時間を計測する。出力指示受付部１０４は、キー入力部９を介してユーザからの通話時間の出力指示を受け付ける。検出部１１０は、音声処理部１０からの通知に基づき、通話相手が発話中か否かを検出する。音声データ生成部１０８は、通話時間計測部１１２が計測している通話時間の音声データを生成する。
【００３９】
タイミング制御部１０６は、出力指示受付部１０４が出力指示を受け付けた後、検出部１１０が通話相手が発話中でないことを検出したタイミングにおいて、音声データ生成部１０８に通話時間の音声データを生成させて、スピーカ１２から通話時間を音声出力させる。また、タイミング制御部１０６は、スピーカ１２から通話時間を音声出力中に、検出部１１０が通話相手が発話中であることを検出すると、音声出力を中断する。
【００４０】
タイミング制御部１０６は、セレクタ１１を切り替えて、スピーカ１２から通話時間の通知および通話相手の発話のいずれかが出力されるように制御する。本実施の形態において、このように、音声パスを切り替えて、スピーカ１２から通話時間の通知または通話相手の発話のいずれかが出力されるようにしているので、ユーザが通話時間および通話相手の発話内容を確実に聞き取るようにすることができる。
【００４１】
さらに、タイミング制御部１０６は、スピーカ１２により時間のうち一部が音声出力された場合に、記憶部１１４に、当該一部の完了フラグを立てる。本実施の形態において、タイミング制御部１０６は、スピーカ１２から時間を音声出力させる際に、記憶部１１４を参照して、完了フラグが立っている一部を省略して音声出力させることができる。たとえば、音声データ生成部１０８は、通話時間の音声データを、時間（ｈｏｕｒ）単位、および分（ｍｉｎｕｔｅ）単位でこの順に音声出力されるように生成することができる。タイミング制御部１０６は、スピーカ１２が通話時間を時間（ｈｏｕｒ）単位で音声出力すると、記憶部１１４に時間（ｈｏｕｒ）完了フラグをたて、音声出力部が時間を分単位で音声出力すると、記憶部に分（ｍｉｎｕｔｅ）完了フラグをたてることができる。
【００４２】
以下に具体例を説明する。
たとえば、通話時間再生内容が、「○○時間××分です」である場合、この再生内容が（１）「○○時間」、（２）「××分」、（３）「です」の３つのパートに分割される。スピーカ１２は、（１）「○○時間」、（２）「××分」、（３）「です」をそれぞれこの順で音声出力する。ここで、（１）および（２）が、実質的な通話時間となる。タイミング制御部１０６は、実質的な通話時間の音声出力が終了すると、そのパートに対応付けて完了フラグを立てる。完了フラグは記憶部１１４に記憶される。タイミング制御部１０６は、音声出力処理を制御する際に、記憶部１１４を参照して、完了フラグが立っているパートは再度音声出力されないようにする。たとえば、（１）に完了フラグが立っていれば、（２）から音声出力されるようにする。また、タイミング制御部１０６は、実質的な通話時間の音声出力が終了すると、つづいて（３）の「です」を音声出力させ、完了フラグをクリアする。また、実質的な通話時間の音声出力が終了した後、何らかの都合により、（３）の出力ができない場合は、音声出力処理が終了したとして、完了フラグをクリアする。この後、通話時間出力指示があった場合、（１）から音声出力される。
【００４３】
以上のようにすれば、通話相手が発話中ではないタイミングで通話時間のうちの「時間」を通知した場合、次に通話相手が発話中でないタイミングで、通話時間のうちの「分」を通知することができる。
【００４４】
次に、図１の制御部６による通話時間通知の手順を説明する。図３および図４は、本実施の形態における携帯型通信端末１００における通話時間通知の手順を示すフローチャートである。以下、図２も参照して説明する。
【００４５】
図３に示すように、携帯型通信端末１００において、通話が開始されると（Ｓ１０１のＹＥＳ）、通話時間計測部１１２は、通話時間計測を開始する（Ｓ１０２）。携帯型通信端末１００の通話の開始タイミングは、無線部２による発呼または着呼があったタイミングとすることができる。
【００４６】
つづいて、タイミング制御部１０６は、記憶部１１４の時間完了フラグ（ｈｏｕｒ完了フラグ）および分完了フラグ（ｍｉｎｕｔｅ完了フラグ）をクリアして記憶部１１４を初期化しておく（Ｓ１０３）。
【００４７】
その後、タイミング制御部１０６は、ユーザからの通話時間通知指示があるか否かの監視を開始する（Ｓ１０４）。携帯型通信端末１００のユーザからキー入力部９を介して通話時間の確認要求があり、出力指示受付部１０４が通話時間通知指示を受け付けると（Ｓ１０４のＹＥＳ）、検出部１１０は、通話相手が発話中か否かを検出する（Ｓ１０５）。通話相手が発話中でない場合（Ｓ１０５のＮＯ）、タイミング制御部１０６は、セレクタ１１を制御して音声パスを切り替える（Ｓ１０６）。ステップＳ１０５で、通話相手が発話中の場合（Ｓ１０５のＹＥＳの場合）、通話相手が発話をやめるまでステップＳ１０５で待機する。
【００４８】
ステップＳ１０６の後、タイミング制御部１０６は、記憶部１１４を参照して時間完了フラグがたっているか否かを判断する（Ｓ１０７）。記憶部１１４がステップＳ１０３で初期化されたままの状態であれば、時間完了フラグはクリアされていて立っていない。時間完了フラグが立っていない場合（Ｓ１０７のＮＯ）、タイミング制御部１０６は、音声データ生成部１０８により「時間」の音声データを生成させ、スピーカ１２から通話時間（ｈｏｕｒ）を出力させる（Ｓ１０８）。
【００４９】
なお、通話時間（ｈｏｕｒ）の再生が完了するまで（Ｓ１１２のＹＥＳとなるまで）、タイミング制御部１０６は、検出部１１０の検出結果に基づき、通話相手が発話を再開したか否かを監視する（Ｓ１０９）。タイミング制御部１０６は、この間に通話相手が発話を再開したことを検出すると（Ｓ１０９のＹＥＳ）、通話時間通知処理を中断してセレクタ１１を制御し、音声パスを切り替える（Ｓ１１０）。この後、再びステップＳ１０４に戻る。
【００５０】
また、ステップＳ１１２において、通話時間の再生が完了すると（Ｓ１１２のＹＥＳ）、タイミング制御部１０６は、記憶部１１４の時間完了フラグを立てる（Ｓ１１３）。つづいて、タイミング制御部１０６は、音声データ生成部１０８により「分」の音声データを生成させ、スピーカ１２から通話時間（ｍｉｎｕｔｅ）を出力させる（Ｓ１１４）。
【００５１】
図４に進み、通話時間（ｍｉｎｕｔｅ）の再生が完了するまで（Ｓ２０４のＹＥＳとなるまで）、タイミング制御部１０６は、検出部１１０の検出結果に基づき、通話相手が発話を再開したか否かを監視する（Ｓ２０１）。タイミング制御部１０６は、この間に通話相手が発話を再開したことを検出すると（Ｓ２０１のＹＥＳ）、通話時間通知処理を中断してセレクタ１１を制御し、音声パスを切り替える（Ｓ２０２）。この後、再び図１のステップＳ１０４に戻る。
【００５２】
また、ステップＳ２０４において、通話時間の再生が完了すると（Ｓ２０４のＹＥＳ）、タイミング制御部１０６は、記憶部１１４の分完了フラグを立てる（Ｓ２０５）。なお、このときに記憶部１１４の時間完了フラグはクリアされる。つづいて、タイミング制御部１０６は、音声データ生成部１０８により「です」の音声データを生成させ、スピーカ１２から出力させる（Ｓ２０６）。
【００５３】
「です」の再生が完了するまで（Ｓ２１０のＹＥＳとなるまで）、タイミング制御部１０６は、検出部１１０の検出結果に基づき、通話相手が発話を再開したか否かを監視する（Ｓ２０７）。タイミング制御部１０６は、この間に通話相手が発話を開始したことを検出すると（Ｓ２０７のＹＥＳ）、セレクタ１１を制御して音声パスを切り替える（Ｓ２０８）。
【００５４】
また、ステップＳ２１０において、「です」の再生が完了した場合（Ｓ２１０のＹＥＳ）、タイミング制御部１０６は、セレクタ１１を制御して音声パスを切り替える（Ｓ２０８）。そして、ステップＳ２０８の後、タイミング制御部１０６は、記憶部１１４の分完了フラグをクリアする（Ｓ２０９）。この後、再び図１のステップＳ１０４に戻る。
【００５５】
本実施の形態における携帯型通信端末１００によれば、ユーザが通話時間を確認したい場合に、通話相手が話していないときに通話時間の音声通知を行うことができる。これにより、ユーザが通話時間を聞き逃さず認識することができる。そのため、聞き直しによる通話時間の増加を防ぐことができる。また、ユーザが通話相手に知られることなく通話時間を把握することができ、円滑なコミュニケーションを図ることができる。さらに、通話時間の内容を段階的に管理することで、効率的にユーザに通話時間を音声通知することができる。
【００５６】
図５は、図３および図４で示した処理と並行して実行される携帯型通信端末１００の処理手順の一例を示すフローチャートである。ここでは、時間完了フラグが立った場合でも、通話時間（ｈｏｕｒ）を音声出力してから通話時間（ｍｉｎｕｔｅ）を出力するまでの間に所定の条件になった場合に、時間完了フラグをクリアして、次回の音声出力時に通話時間（ｈｏｕｒ）を再度出力する例を示す。所定の条件は、たとえば、通話時間（ｈｏｕｒ）を音声出力してから通話時間（ｍｉｎｕｔｅ）を出力するまでの間に所定の時間が経過した場合や、通話時間（ｈｏｕｒ）を音声出力してから通話時間（ｍｉｎｕｔｅ）を出力するまでの間に時間（ｈｏｕｒ）が繰り上がった場合とすることができる。
【００５７】
図３のステップＳ１１３で時間完了フラグが立てられると、タイミング制御部１０６は、時間完了フラグがオンとなったとして（Ｓ３０１のＹＥＳ）、時間完了フラグがオンとなった時間からの経過時間（５分タイマー）および通話時間（ｈｏｕｒ）の監視を開始する（Ｓ３０２）。
【００５８】
時間完了フラグがオンとなった後に、通話時間（ｈｏｕｒ）が繰り上がった場合（Ｓ３０３のＹＥＳ）、タイミング制御部１０６は、記憶部１１４の時間完了フラグをクリアする（Ｓ３０６）。たとえば、通話時間が「１時間５９分」から「２時間００分」となった場合、タイミング制御部１０６は、記憶部１１４の時間完了フラグをクリアする（Ｓ３０６）。
【００５９】
また、時間完了フラグがオンとなった後に、５分が経過すると（Ｓ３０４のＹＥＳ）、タイミング制御部１０６は、記憶部１１４の時間完了フラグをクリアする（Ｓ３０６）。ここでは、所定時間が５分である場合を例として説明したが、この時間は適宜設定することができる。
【００６０】
以上の処理を、分完了フラグがオンとなるまで（Ｓ３０５のＹＥＳとなるまで）繰り返す。
【００６１】
以上の処理により、時間完了フラグが立った場合でも、その後の状態によって、時間完了フラグをクリアして、再度時間（ｈｏｕｒ）を通知させるようにすることができる。
【００６２】
図１では、ユーザが時間通知指示をキー入力部９から入力する例を示したが、時間通知指示は、携帯型通信端末１００以外の端末から入力するようにすることもできる。
【００６３】
図６は、図１に示した携帯型通信端末１００の他の例を示すブロック図である。
携帯型通信端末１００は、図１を参照して説明した構成に加えて、Ｂｌｕｅｔｏｏｔｈ（登録商標）無線部１４をさらに含むことができる。
【００６４】
このような場合、ユーザは、Ｂｌｕｅｔｏｏｔｈ（登録商標）ヘッドセット１５を装着して、Ｂｌｕｅｔｏｏｔｈ（登録商標）ヘッドセット１５経由で携帯型通信端末１００による通話を行うことができる。この場合、たとえばＢｌｕｅｔｏｏｔｈ（登録商標）ヘッドセット１５の音量キーの長押しをユーザからの時間通知指示の入力に割り当てることができる。このような構成の場合、そのコマンドデータがＢｌｕｅｔｏｏｔｈ（登録商標）無線部１４を経由して、制御部６に通話時間通知要求として通知される。詳細には、図２に示した出力指示受付部１０４は、Ｂｌｕｅｔｏｏｔｈ（登録商標）無線部１４からの入力に基づき、時間通知指示を受け付けることができる。
【００６５】
図７は、図１に示した携帯型通信端末１００のまた他の例を示すブロック図である。
ここでは、携帯型通信端末１００がイヤホンマイク２０を用いて通話を行う構成を示す。イヤホンマイク２０は、スピーカ１７、マイク１８、および終話キー入力部１９を含む構成とすることができる。携帯型通信端末１００は、図１を参照して説明した構成に加えて、マイク入力先と音声出力先とをそれぞれ切り替える２つのセレクタ１６をさらに含むことができる。制御部６は、ユーザがイヤホンマイク２０を携帯型通信端末１００に取り付けた場合、セレクタ１６を制御して、マイク入力先と音声出力先とをマイク１８およびスピーカ１７に切り替える。
【００６６】
この場合、たとえば終話キー入力部１９の長押しをユーザからの時間通知指示の入力に割り当てることができる。ユーザが通話中に、終話キー入力部１９を長押しすると、制御部６は通話時間通知要求として受け付ける。詳細には、図２に示した出力指示受付部１０４は、終話キー入力部１９からの入力に基づき、時間通知指示を受け付けることができる。
【００６７】
以上、図面を参照して本発明の実施形態について述べたが、これらは本発明の例示であり、上記以外の様々な構成を採用することもできる。
【００６８】
以上の実施の形態では、通話時間を通知する例を示したが、現在時刻を通知する構成とすることもできる。これによっても、ユーザが現在時刻に基づき、だいたいの通話時間を把握したり、電話を切るべきタイミングを把握することができる。
【００６９】
また、以上の実施の形態において、図３に示したように、時間の再生処理中に通話相手の発話開始割込みがあった場合、ステップＳ１０４に戻り、再度通話時間確認要求があるまで待機する例を説明した。しかし、時間を再生処理中に割込みがあった場合、ステップＳ１０４ではなく、ステップＳ１０５に戻るようにすることもできる。この場合、ユーザからの再度の音声出力指示がなくても、発話相手の発話が終わるまで待機して、その後に時間の再生処理を再開することができる。
【００７０】
また、本発明は、携帯型通信端末１００でハンズフリー通話を行う場合に適用することもできる。この場合、時間の通知は、スピーカ１２とは別のキー音、着信音、アラーム音等の出力に使用するスピーカから音声出力する構成とすることができる。この場合、制御部６は、ユーザから通話時間通知要求があった場合、スピーカからの時間通知のアナウンスが、マイク１３から入力されて通話相手側に聞こえてしまうのを防ぐために、自動的にマイク１３の入力をオフにする機能を備えた構成としてもよい。
【図面の簡単な説明】
【００７１】
【図１】本発明の実施の形態における携帯電話端末の構成を示すブロック図である。
【図２】本発明の実施の形態における携帯電話端末の構成を示す機能ブロック図である。
【図３】本発明の実施の形態における携帯電話端末の処理手順を示すフローチャートである。
【図４】本発明の実施の形態における携帯電話端末の処理手順を示すフローチャートである。
【図５】本発明の実施の形態における携帯電話端末の処理手順を示すフローチャートである。
【図６】本発明の実施の形態における携帯電話端末の構成の他の例を示すブロック図である。
【図７】本発明の実施の形態における携帯電話端末の構成の他の例を示すブロック図である。
【符号の説明】
【００７２】
１ アンテナ
２ 無線部
３ ＥＥＰＲＯＭ
４ ＲＡＭ
５ ＲＯＭ
６ 制御部
７ 表示駆動部
８ 表示部
９ キー入力部
１０ 音声処理部
１１ セレクタ
１２ スピーカ
１３ マイク
１４ Ｂｌｕｅｔｏｏｔｈ（登録商標）無線部
１５ Ｂｌｕｅｔｏｏｔｈ（登録商標）ヘッドセット
１６ セレクタ
１７ スピーカ
１８ マイク
１９ 終話キー入力部
２０ イヤホンマイク
１００ 携帯型通信端末
１０４ 出力指示受付部
１０６ タイミング制御部
１０８ 音声データ生成部
１１０ 検出部
１１２ 通話時間計測部
１１４ 記憶部
【図１】
0004710678.tif 000002
【図２】
0004710678.tif 000003
【図３】
0004710678.tif 000004
【図４】
0004710678.tif 000005
【図５】
0004710678.tif 000006
【図６】
0004710678.tif 000007
【図７】
0004710678.tif 000008